(57)【要約】      （修正有）【課題】周囲空気を浄化する空気浄化装置を備えた調理器を提供する。【解決手段】空気浄化装置２は、ケースの上面に設けられた吸気口と上部の前面に設けられた空気吐出口４１を有し、ケースの上部から空気を吸入して調理室の前方に吐出す。吸気口と空気吐出口間には空気流路５４が設けられ、空気流路の前方にはフィルタユニット６０が、そして空気流路の内部には送風ファン７０が設けられる。ケースの上面に形成された開口部には、吸気口が形成されたカバー３０がフックで結合される。空気流路は、吸気口に対向して開放された入口部と、空気吐出口に対向して開放された出口部とを有し、調理室の上部に設けられた空気浄化装置本体５０に形成される。入口部の両側には、空気浄化装置本体の上端から下端に斜めに案内溝５３が設けられ、フィルタユニットが案内溝に沿ってスライド移動して斜めに結合される。【選択図】        図５
2004184061.tif 000002
【特許請求の範囲】
【請求項１】
前面が開放された調理室と、
前記調理室を取り囲むケースと、
前記調理室の上面と前記ケースの底面との間に設けられた空気浄化装置と、
前記ケースの上部内に室内空気を吸入して浄化して吐き出すため、前記ケースの上部に設けられた吸気口及び空気吐出口とを含んでなることを特徴とする調理器。
【請求項２】
前記空気浄化装置は空気浄化装置本体を備え、該空気浄化装置本体は、
前記吸気口と前記空気吐出口を連通させる空気流路と、
前記空気流路内に設けられたフィルタユニットと、
前記空気流路内に設けられた送風ファンとをさらに含むことを特徴とする請求項１に記載の調理器。
【請求項３】
前記フィルタユニットは前記吸気口に隣接した位置に設けられることを特徴とする請求項２に記載の調理器。
【請求項４】
前記フィルタユニットは、
埃を除去する電気集塵フィルタと、
臭いを除去する脱臭フィルタとを含み、
前記電気集塵フィルタ及び前記脱臭フィルタは多層構造に一体化されることを特徴とする請求項２に記載の調理器。
【請求項５】
前記ケースの上面は所定のサイズの開口部を有し、前記開口部には、前記吸気口を有するカバーが着脱可能に装着されることを特徴とする請求項２に記載の調理器。
【請求項６】
前記空気浄化装置本体は、前記吸気口に対向する入口部と、前記空気吐出口に対向する出口部とを有し、前記空気流路は前記入口部と前記出口部との間に形成されることを特徴とする請求項５に記載の調理器。
【請求項７】
前記空気流路に設けられた前記送風ファンはクロスフロータイプからなることを特徴とする請求項６に記載の調理器。
【請求項８】
前記空気浄化装置本体は、前記フィルタユニットをスライド可能にかつ着脱可能に装着するため、前記入口部の一側に設けられ前記空気浄化装置本体の上端から下端に延長される案内溝をさらに含むことを特徴とする請求項６に記載の調理器。
【請求項９】
前記案内溝は、前記フィルタユニットが前記吸気口及び前記空気流路に対して斜めに配置されるように所定角度に傾いていることを特徴とする請求項８に記載の調理器。
【請求項１０】
前記フィルタユニットは、その上端部に一体的に設けられた取っ手をさらに含むことを特徴とする請求項９に記載の調理器。
【請求項１１】
前記カバーの第１端部から下方に突出するフックと、
前記フックを収容するフック孔を有する前記空気浄化装置本体の入口部の第１エッジ部とをさらに含むことを特徴とする請求項６に記載の調理器。
【請求項１２】
前記カバーの第２端部に設けられた結合突起と、
前記結合突起を収容するため、前記空気浄化装置本体の入口部の第２エッジに形成された結合孔とをさらに含むことを特徴とする請求項１１に記載の調理器。
【請求項１３】
前記カバーの開閉によって前記フィルタユニットに選択的に電源を供給するため、前記空気浄化装置本体に設けられたマイクロスイッチをさらに含むことを特徴とする請求項６に記載の調理器。
【請求項１４】
前記カバーの第１端部から下方に突出する操作突起と、
前記操作突起に対応する位置の前記空気浄化装置本体に設けられたマイクロスイッチとをさらに含み、
前記操作突起は前記カバーの開閉によって前記マイクロスイッチを選択的にオン／オフに切り換えて前記フィルタユニットに電源を供給するか又は遮断することを特徴とする請求項６に記載の調理器。
【請求項１５】
前記空気浄化装置本体に装着され、前記調理室と前記ケース間に設けられた空気吐出部材をさらに含み、前記空気吐出口は前記空気吐出部材の前面に形成されることを特徴とする請求項６に記載の調理器。
【請求項１６】
前記フィルタユニットは、前記カバーが前記ケースの開口部に装着されるか除去されるとき、前記空気浄化装置本体の案内溝に装着されるか分離されるように前記カバーの内面に一体的に設けられることを特徴とする請求項９に記載の調理器。
【請求項１７】
前記空気浄化装置本体は、前記カバーの端部に設けられた取っ手をさらに含むことを特徴とする請求項１６に記載の調理器。
【請求項１８】
前記取っ手の内面からフックが下方に突出し、前記空気浄化装置本体の入口部のエッジは前記フックを収容するためのフック孔を有するので、前記取っ手を下方に押し付けると、前記フックが前記フック孔に挿入し、前記フィルタユニットを有する前記カバーが前記空気浄化装置本体に装着され、前記取っ手を上方に引くと、前記フックが前記フック孔から分離し、前記フィルタユニットを有する前記カバーが前記空気浄化装置本体から分離されることを特徴とする請求項１７に記載の調理器。
【請求項１９】
吸気口、フィルタ、送風ファン、空気吐出口及び前記吸気口と前記空気吐出口を連通させる空気流路を有する空気浄化装置と、
調理器を有するケースとを含んでなり、
前記空気浄化装置は前記ケース内に設けられ、
前記吸気口と前記空気吐出口は前記ケースの少なくとも一つの外面に位置し、
前記フィルタ及び前記送風ファンは前記空気流路内に位置し、
前記送風ファンは前記吸気口及び前記フィルタを通じて空気を吸入して前記空気吐出口を通じて吐き出すことを特徴とする空気浄化システム。
【請求項２０】
前記フィルタは着脱可能であることを特徴とする請求項１９に記載の空気浄化システム。
【請求項２１】
前記フィルタは、
埃を除去する電気集塵フィルタと、
臭いを除去する脱臭フィルタとを含み、
前記電気集塵フィルタ及び前記脱臭フィルタは多層構造に一体化されることを特徴とする請求項１９に記載の空気浄化システム。
【発明の詳細な説明】
【０００１】
【発明の属する技術分野】
本発明は調理器に係り、より詳しくは室内空気を簡便に浄化し得る簡単な構造の空気浄化装置を備えた調理器に関するものである。
【０００２】
【従来の技術】
一般に、電子レンジ、ガスオーブンのような調理器は飲食物を調理するために厨房に配置される。このような調理器は、飲食物の調理の際、飲食物臭及び排気ガスを発生して、厨房空間、ひいては室内空間の空気を汚染させる。しかし、一般の調理器には、厨房内の空気を浄化する空気浄化装置が設けられていないため、調理の完了後にも厨房内に飲食物臭及びガス臭などが残ることになる。
【０００３】
一方、調理時に発生する飲食物臭及び排気ガスなどを室外に排出するため、厨房には通常排気用ダクトが設けられているが、この排気用ダクトのみによっては、調理時に発生する飲食物臭及び排気ガスを迅速で完全に排出することができない。また、排気用ダクトによっては厨房の空気中に含まれた微細埃などを除去することができない。
【０００４】
したがって、調理器が設置された厨房には飲食物臭などが残り不快感を誘発するだけでなく、衛生の面でもよくないものである。また、調理器が設置された厨房の空気を浄化していない状態で飲食物の調理を行うと、飲食物に埃などが侵入して飲食物を不衛生にすることになる。
【０００５】
特に、日増しに悪化する室外環境によって室外から多くの汚染物質が室内空間に流入する可能性が高くなる現状では、飲食物を清潔に調理するとともに、周囲空間の空気を浄化し得る調理器が一層切実に求められている。
【０００６】
【発明が解決しようとする課題】
したがって、本発明は前記のような従来技術の問題点を解決するためになされたもので、その目的は、周囲空気の浄化が可能な空気浄化装置を備えた調理器を提供することにある。
【０００７】
本発明のほかの目的は、適切な高さで周囲空気を吸入し、その空気から微細な埃を効果的に除去し得る空気浄化装置を備えた調理器を提供することにある。
【０００８】
本発明のさらにほかの目的は、フィルタユニットの簡便な分離及び装着を可能にする構造を有する空気浄化装置を備えた調理器を提供することにある。
【０００９】
【課題を解決するための手段】
前記のような目的を達成するため、本発明は、前面が開放された調理室と、前記調理室を取り囲むケースと、前記調理室の上面と前記ケースの底面との間に設けられた空気浄化装置と、前記ケースの上部内に室内空気を吸入して浄化して吐き出すため、前記ケースの上部に設けられた吸気口及び空気吐出口とを含んでなる調理器を提供する。
【００１０】
前記空気浄化装置は空気浄化装置本体を備え、該空気浄化装置本体は、前記吸気口と前記空気吐出口を連通させる空気流路と、前記空気流路内に設けられたフィルタユニットと、前記空気流路内に設けられた送風ファンとをさらに含む。
【００１１】
前記フィルタユニットは前記吸気口に隣接した位置に設けられる。
【００１２】
前記フィルタユニットは、埃を除去するための電気集塵フィルタと、臭いを除去する脱臭フィルタとを含み、前記電気集塵フィルタ及び前記脱臭フィルタは多層構造に一体化される。
【００１３】
前記ケースの上面は所定のサイズの開口部を有し、前記開口部には、前記吸気口を有するカバーが着脱可能に装着される。
【００１４】
前記空気浄化装置本体は、前記吸気口に対向する入口部と、前記空気吐出口に対向する出口部とを有し、前記空気流路は前記入口部と前記出口部との間に形成される。
【００１５】
前記空気流路に設けられた前記送風ファンはクロスフロータイプからなる。
【００１６】
前記空気浄化装置本体は、前記フィルタユニットをスライド可能にかつ着脱可能に装着するため、前記入口部の一側に設けられ前記空気浄化装置本体の上端から下端に延長される案内溝をさらに含む。
【００１７】
前記案内溝は、前記フィルタユニットが前記吸気口及び前記空気流路に対して斜めに配置されるように所定角度に傾いている。
【００１８】
前記フィルタユニットは、その上端部に一体的に設けられた取っ手をさらに含む。
【００１９】
前記調理器は、前記カバーの第１端部から下方に突出するフックと、前記フックを収容するフック孔を有する前記空気浄化装置本体の入口部の第１エッジ部とをさらに含む。
【００２０】
前記カバーの第２端部に設けられた結合突起と、前記結合突起を収容するため、前記空気浄化装置本体の入口部の第２エッジに形成された結合孔とをさらに含む。
【００２１】
前記カバーの開閉によって前記フィルタユニットに選択的に電源を供給するため、前記空気浄化装置本体に設けられたマイクロスイッチをさらに含む。
【００２２】
前記カバーの第１端部から下方に突出する操作突起と、前記操作突起に対応する位置の前記空気浄化装置本体に設けられたマイクロスイッチとをさらに含み、前記操作突起は前記カバーの開閉によって前記マイクロスイッチを選択的にオン／オフに切り換えて前記フィルタユニットに電源を供給するか又は遮断する。
【００２３】
前記空気浄化装置本体に装着され、前記調理室と前記ケース間に設けられた空気吐出部材をさらに含み、前記空気吐出口は前記空気吐出部材の前面に形成される。
【００２４】
前記フィルタユニットは、前記カバーが前記ケースの開口部に装着されるか除去されるとき、前記空気浄化装置本体の案内溝に装着されるか分離されるように前記カバーの内面に一体的に設けられる。
【００２５】
前記空気浄化装置本体は、前記カバーの端部に設けられた取っ手をさらに含む。
【００２６】
前記取っ手の内面からフックが下方に突出し、前記空気浄化装置本体の入口部のエッジは前記フックを収容するためのフック孔を有するので、前記取っ手を下方に押し付けると、前記フックが前記フック孔に挿入し、前記フィルタユニットを有する前記カバーが前記空気浄化装置本体に装着され、前記取っ手を上方に引くと、前記フックが前記フック孔から分離し、前記フィルタユニットを有する前記カバーが前記空気浄化装置本体から分離される。
【００２７】
また、本発明は、吸気口、フィルタ、送風ファン、空気吐出口及び前記吸気口と前記空気吐出口を連通させる空気流路を有する空気浄化装置と、調理器を有するケースとを含んでなり、前記空気浄化装置は前記ケース内に設けられ、前記吸気口と前記空気吐出口は前記ケースの少なくとも一つの外面に位置し、前記フィルタ及び前記送風ファンは前記空気流路内に位置し、前記送風ファンは前記吸気口及び前記フィルタを通じて空気を吸入して前記空気吐出口を通じて吐き出すようになった空気浄化システムを提供する。
【００２８】
前記フィルタは着脱可能である。
【００２９】
前記フィルタは、埃を除去する電気集塵フィルタと、臭いを除去する脱臭フィルタとを含み、前記電気集塵フィルタ及び前記脱臭フィルタは多層構造に一体化される。
【００３０】
【発明の実施の形態】
以下、本発明の好ましい実施形態を添付図面に基づいて詳細に説明する。
図１は本発明の第１実施形態による空気浄化装置を備えた調理器の外観を示す斜視図である。同図に示すように、本発明の第１実施形態による空気浄化装置は、調理器に装着され、周囲空気を浄化する機能を有する。かかる本発明による空気浄化装置は電子レンジ、ガスオーブンなどの種々の調理器に装着できるが、本発明においては、電子レンジに適用される空気浄化装置を一例として説明する。
【００３１】
調理器は、前面の開放された調理室１１が設けられた調理器本体１０と、前記調理器本体１０の上部及び両側面を取り囲んで外観を形成するケース１２と、開放調理室１１の前面を開閉するドア１３と、前記調理器本体１０の前面でドア１３に並んで設けられた制御盤１４とを備える。
【００３２】
本発明による空気浄化装置２０は、ケース１２の上面に設けられ、吸気口３１を有するカバー３０と、調理室１１の上部とケース１２の上部との間の調理器本体１０の前面に設けられ、空気吐出口４１を有する空気吐出部材４０とを備えるもので、ケース１２の上面で周囲空気を吸入して浄化し、調理室１１の前方に浄化空気を吐き出す。
【００３３】
本発明の実施形態においては、吸気口３１がケース１２の上面に設けられ、空気吐出口４１がケース１２の前方上部に設けられるものを示したが、これに限定されるものではなく、吸気口３１と空気吐出口４１がケース１２の背面又は側面に設けられるものに構成してもよい。
【００３４】
図２は本発明の第１実施形態による空気浄化装置２０の構造を示すため、ケース１２を調理器本体１０から分離して示すものである。同図に示すように、ケース１２は、調理器本体１０の開放上部及び両側面を覆うための上部面１２ａ及び両側面１２ｂ、１２ｃを有する。調理器本体１０の一側面とケース１２の側面１２ｃとの間には、調理源である高周波を供給するためのマグネトロン１５ａのような電装品が設けられる電装室１５が調理室１１から区画される。
【００３５】
ケース１２の上部面１２ａと調理室１１の上部との間には、前記カバー３０及び前記空気吐出部材４０とともに本発明による空気浄化装置２０を構成する空気浄化装置本体５０と、前記空気浄化装置本体５０に設けられるフィルタユニット６０及び送風ファン７０とが設けられる。
【００３６】
カバー３０はケース１２の上部面１２ａに同一形状に形成された開口部１６に着脱可能に装着される。このような分離構造は図３を参照して後述する。
【００３７】
空気浄化装置本体５０は、ケース１２の開口部１６に対応する位置に同一の大きさに形成された入口部５１と、前記空気吐出部材４０に対向して開放された出口部５２（図３参照）と、前記入口部５１と前記出口部５２を連結する空気流路部５３とを備える。
【００３８】
前記入口部５１の両側には、前記空気流路部５３に隣接した一端から他端に一定の角度で斜めに設けられた１対の案内溝５４が設けられ、この案内溝５４に沿ってフィルタユニット６０が着脱可能に挿着される。すなわち、前記フィルタユニット６０は、その両側端が傾斜案内溝５４に装着され斜めに配置されるので、入口部５１の上端と下端間で対角線方向に設置される。
【００３９】
こうして、フィルタユニット６０が空気浄化装置本体５０の入口部５１でカバー３０に形成された吸気口３１と対向するように斜めに配置されるので、垂直に立設されるものに比べ、フィルタユニット６０の吸入面積を増大させるとともに、吸入空気が前記空気流路部５３に向かって流動するときの流動抵抗が低減される。
【００４０】
フィルタユニット６０は、空気中に含まれた微細埃を濾すための電気集塵フィルタと、調理時に発生する臭いを吸着する脱臭フィルタと、多量の陰イオンを発生して空気を快適にする陰イオン発生器と、除湿又はオイル除去機能を有するフィルタなどが一体に結合して多層構造をなすことにより、コンパクトな構造を有しながらも空気浄化機能が向上するものである。
【００４１】
フィルタユニット６０の上端には取っ手６１が設けられているので、この取っ手６１を握りフィルタユニット６０を案内溝５４にスライド移動させることにより、フィルタユニット６０を空気浄化装置本体５０の入口部５１に簡便で容易に着脱することができる。
【００４２】
入口部５１と出口５２間に形成された空気流路部５３の内部には、この空気流路部５３に対して横方向に配置された送風ファン７０が設けられる。この送風ファン７０は、その一端に設置された駆動モータ７１により回転して空気を吸入し吐き出す。
【００４３】
前記送風ファン７０は多数タイプのファンから選択することができるが、好ましくは空気が流動方向の変化なしに横切って流動できるクロスフロータイプ（ｃｒｏｓｓ−ｆｌｏｗ  ｔｙｐｅ）にして、設置面積を多く占めないようにする。
【００４４】
図３はカバーが空気浄化装置本体の入口部に結合される構造を示すものである。同図に示すように、カバー３０の下面の後端には下方に１対のフック３２が突設され、カバー３０の下面の先端には、前記カバー３０を前記フック３２とともに空気浄化装置本体５０の入口部５１に結合させるための１対の結合突起３３が設けられる。
【００４５】
前記フック３２は、上方に引くと少し上げられ、力を除去すると、元の位置に復元するように弾性を有し、その下端には内側に少し突出した突起を有する。このフック３２が空気浄化装置本体５０に結合するため、空気浄化装置本体５０の入口部５１の後端には、前記フック３２に対応するフック孔５５が形成される。
【００４６】
したがって、前記フック３２を対応フック孔５５に押し込めると、フック３２の下端が前記フック孔５５に係止されるので分離できなくなる。この状態で、フック３２を上方に引くと、フック３２がフック孔５５から引き抜かれることになる。
【００４７】
また、カバー３０の先端に設けられた結合突起３３を空気浄化装置本体５０に結合させるため、空気浄化装置本体５０の入口部５１の先端には、前記結合突起３３に対応する結合孔５６が形成されている。前記結合突起３３の下端は外側に少し曲がった形状になり、対応結合孔５６に挿入され係止される。
【００４８】
このような構造を有するカバー３０は、まず、結合突起３３を対応結合孔５６に挿入して係止させた状態で、フック３２を対応フック孔５５に押し込めると、フック３２の下端がフック孔５５にロックされることにより、空気浄化装置本体５０の入口部５１に結合される。一方、カバー３０を空気浄化装置本体５０から分離するためには、フック３２を上方に引いて前記カバー３０の後端がフック孔５５から分離されるようにした後、結合突起３３が結合孔５６から引き抜かれるようにカバー３０を後方に押し上げると、カバー３０が空気浄化装置本体５６から簡単に分離される。
【００４９】
本発明の第１実施形態による空気浄化装置２０においては、フック３２がカバー３０の後端に設けられ、結合突起３３がカバー３０の先端に設けられた構造を例として説明したが、フック３２をカバー３０の先端に設け、結合突起３３をカバー３０の後端に設けた構造にしても同一の作用効果を得ることができる。
【００５０】
また、カバー３０の後端には一つの操作突起３４が突設され、これに対応する空気浄化装置本体５０の入口部５１には、カバー３０が空気浄化装置本体５０に結合された状態で、前記操作突起３４が貫通する貫通孔５７が形成される。この操作突起３４は、カバー３０が開放状態ではフィルタユニット６０から高電圧が発生しないように設けられたもので、これについては図４Ａ及び図４Ｂを参照して説明する。
【００５１】
図４Ａ及び図４Ｂに示すように、空気浄化装置本体５０の入口部５１の後端に形成された貫通孔５７の下部には、フィルタユニット６０に電気的に連結されフィルタユニット６０に選択的に電源を供給するか又は遮断するためのマイクロスイッチ６２が設けられる。図４Ａに示すように、カバー３０が空気浄化装置本体５０から分離して操作突起３４が貫通孔５７から分離した位置では、マイクロスイッチ６２のボタン６２ａが上方に突出してマイクロスイッチ６２がオフ状態を維持し、よって外部に露出したフィルタユニット６０への電源供給が遮断される。したがって、フィルタユニット６０からは高電圧が発生しないので、安全にフィルタユニット６０を分離して点検又は交替することができる。
【００５２】
一方、図４Ｂに示すように、カバー３０を空気浄化装置本体５０に結合して、操作突起３４が貫通孔５７を通過してマイクロスイッチ６２のボタン６２ａを押し込めると、マイクロスイッチ６２がオン状態になり、フィルタユニット６０に電源を供給することになる。
【００５３】
図５は本発明の第１実施形態による空気浄化装置により空気が流動する状態を示す断面図である。同図に示すように、本発明の空気浄化装置２０は、調理器の上部に配置され、調理室１１内での飲食物の調理時に同時に作動するか、又は飲食物が調理されていない状態で独立して作動して周囲空気を浄化させる。
【００５４】
すなわち、フィルタユニット６０と送風ファン７０の駆動モータ７１に電源を印加して、フィルタユニット６０に高電圧を発生させるとともに送風ファン７０を高速で回転させると、周囲空気がカバー３０の吸気口３１を介して空気浄化装置本体５０の入口部５１に流入される。流入された空気は斜めに配置されたフィルタユニット６０を通過する過程で空気中に含まれた微細埃及び飲食物臭などが濾され、多量の陰イオンが含む状態で空気流路５３に送られる。ついで、空気吐出部材４０の空気吐出口４１を通じて周囲空間に吐き出される。このような過程が一定時間繰り返されると、調理器の設置された周囲空間の空気が浄化される。
【００５５】
図６及び図７はそれぞれ本発明の第２実施形態による空気浄化装置を示す図２及び図３に対応する図である。本発明の第２実施形態による空気浄化装置２０ａは、フィルタユニット６０ａがカバー３０ａに一体的に設けられたことを除き、第１実施形態による空気浄化装置２０とほぼ同一の構造を有する。したがって、本実施形態においては、フィルタユニット６０ａとカバー３０ａの構造についてだけ詳細に説明する。
【００５６】
本発明の第２実施形態によるフィルタユニット６０ａは、カバー３０ａの背面に吸気口３１に向かって傾いたままで一体的に構成される。このように、フィルタユニット６０ａがカバー３０ａに一体的に形成されるので、カバー３０ａが空気浄化装置本体５０に対して着脱されることに伴って、フィルタユニット６０ａも空気浄化装置本体５０の案内溝５４に着脱されるものである。したがって、フィルタユニット６０ａを点検するため、又は掃除するため、カバー３０ａを分離すると、フィルタユニット６０ａもカバー３０ａの分離と同時に分離されるので、分解作業が簡単になされる。
【００５７】
フィルタユニット６０ａが一体的に設けられたカバー３０ａを空気浄化装置本体５０に対して容易に着脱するため、カバー３０ａの先端には取っ手３５が設けられ、この取っ手３５の下端には下方に一つのフック３２ａが突設されている。また、カバー３０ａの後端には、結合突起３３ａと操作突起３４が設けられる。
【００５８】
前記フック３２ａに対応する、空気浄化装置本体５０の入口部５１の先端にはフック孔５５ａが形成され、前記結合突起３３ａと前記操作突起３４に対応する、空気浄化装置本体５０の入口部５１の後端には結合孔５６ａと貫通孔５７が形成されている。
【００５９】
したがって、カバー３０ａを空気浄化装置本体５０に装着するためには、各結合突起３３ａを対応結合孔５６ａに挿入し、フィルタユニット６０ａの両側端部を各案内溝５４に合わせた状態で、取っ手３５を握りカバー３０ａを下方に空気浄化装置本体５０に押し込めると、フィルタユニット６０ａが案内溝５４に挿入されるとともに、フック３２ａがフック孔５５ａにロックされることにより、カバー３０ａが空気浄化装置本体５０に装着される。
【００６０】
このような装着状態で、カバー３０ａを分離するため、取っ手３５を上方に引くと、フック３２ａがフック孔５５ａから分離されるとともに、結合突起３３ａが結合孔５６ａから分離され、カバー３０ａが上方に持ち上げられ、よってフィルタユニット６０ａもカバー３０ａとともに空気浄化装置本体５０の案内溝５４から分離される。
【００６１】
このような本発明の第２実施形態による空気浄化装置２０ａが周囲空気を吸入して浄化させる過程は、図５を参照して説明した第１実施形態による空気浄化装置２０のものと同一であるので、その詳細な説明は略する。
【００６２】
【発明の効果】
以上説明したように、本発明による調理器は、調理物の調理動作と同時に、又は調理物の調理動作が行われていないときに、厨房の如く調理器の設置された周囲空間から空気を吸入して浄化することができるため、周囲空間を快適に維持することができる効果がある。
【００６３】
また、本発明による調理器は、通常、人の目の高さに配置される調理器の上部から空気を吸入して吐き出す構造を有するため、使用者が浄化された空気を呼吸することができるとともに、調理物を清潔に調理することができる。
【００６４】
また、本発明による調理器は、フィルタユニットを簡便に着脱することができる構造を有するため、フィルタユニットを容易に点検し掃除することができる効果があるものである。
【図面の簡単な説明】
【図１】本発明の第１実施形態による空気浄化装置を有する調理器を示す斜視図である。
【図２】図１の調理器の分解斜視図である。
【図３】図２に示すカバー及び空気浄化装置本体の結合構造を示すための調理器の分解斜視図である。
【図４Ａ】マイクロスイッチがオフされた状態を示す図３の線ＩＶ−ＩＶについての断面図である。
【図４Ｂ】マイクロスイッチがオンされた状態を示す図３の線ＩＶ−ＩＶについての断面図である。
【図５】図１の線Ｖ−Ｖについての断面図である。
【図６】本発明の第２実施形態による空気浄化装置を有する調理器を示す分解斜視図である。
【図７】図６の調理器に含まれた空気浄化装置の分解斜視図である。
【符号の説明】
１０  調理器本体
２０，２０ａ  空気浄化装置
３０  カバー
３１  吸気口
３２，３２ａ  フック
４１  空気吐出口
５０  空気浄化装置本体
５３  案内溝
５４  空気流路
５５、５５ａ  フック孔
６０  フィルタユニット
７０  送風ファン
【図１】
2004184061.tif 000003
【図２】
2004184061.tif 000004
【図３】
2004184061.tif 000005
【図４Ａ】
2004184061.tif 000006
【図４Ｂ】
2004184061.tif 000007
【図５】
2004184061.tif 000008
【図６】
2004184061.tif 000009
【図７】
2004184061.tif 000010